(57)【要約】【課題】高所作業用ハーネスについて、簡易にして安価にベルトの絡み合いを防止する。【解決手段】ハーネス１０を、装着状態で腰の左右から背側に延びて交差し両肩に掛けられ胸側の左右でほぼ平行となって腰の左右に還る一対の肩ベルト１１と、肩ベルト１１に腰の左右で連結され、腰の左右から両太腿に延びて太腿の付け根に沿い腰の左右に還る一対のループ状の腿ベルト１２と、胸側の左右の肩ベルト１１を連結する胸ベルト１３と、各腿ベルト１２上の２箇所をループ内を横切って連結する連結ベルト１４とから構成する。尻当てベルトをなくしたため、ハーネス１０の背側に閉ループ空間が形成されず、ベルト１１、１２、１３、１４の絡み合いが防止される。連結ベルト１４で腿ベルト１２を連結しているため、ハーネス１０装着時の腿ベルト１２のループ状態は安定している。ハーネス１０の構造が簡単であるから、その製造コストが低廉である。【選択図】図１
2009112368.tif 000002
【特許請求の範囲】
【請求項１】
高所作業時に装着され、
作業者の装着状態で腰の左右から背側に延びて交差し両肩に掛けられ胸側の左右でほぼ平行となって腰の左右に還る一対の肩ベルト１１と、
この肩ベルト１１に腰の左右で連結され、腰の左右から両太腿に延びて太腿の付け根に沿い腰の左右に還る一対のループ状の腿ベルト１２と、
前記胸側の左右の肩ベルト１１を連結する胸ベルト１３と、
前記各腿ベルト１２上の２箇所を、ループ内を横切って連結する連結ベルト１４と、からなる高所作業用ハーネス。
【請求項２】
前記ループ状の腿ベルト１２のループを開閉可能とした請求項１に記載の高所作業用ハーネス。
【発明の詳細な説明】
【技術分野】
【０００１】
この発明は、高所での作業時に、安全確保のために作業者が装着するハーネスに関する。
【背景技術】
【０００２】
図３のように、高所作業時に装着される一般的なハーネス２０は、作業者の装着状態で腰の左右から背側に延びて交差し両肩に掛けられ胸側の左右でほぼ平行となって腰の左右に還る一対の肩ベルト２１と、この肩ベルト２１に腰の左右で連結され、腰の左右から両太腿に延びてその付け根に沿い腰の左右に還る一対のループ状の腿ベルト２２と、胸側の左右の肩ベルト２１を連結する胸ベルトと、腿ベルト２２の下端同士を連結する尻当てベルト２３と、からなる。
ここで、尻当てベルト２３は、腿ベルト２２のループ形状が装着時に安定するように設けられている。
【０００３】
しかし、このように、尻当てベルト２３で腿ベルト２２の下端同士を連結すると、ハーネス２０の背側となる部分に、肩ベルト２１、腿ベルト２２、尻当てベルト２３によって閉ループ空間が形成されることになる。
したがって、この閉ループ空間をベルト２１、２２、２３の一部がくぐると、ベルト２１、２２、２３同士が絡まり合ってしまい、ハーネス２０装着の際には、この絡み合いを解かねばならず面倒であった。
【０００４】
特に、ハーネス２０の装着を容易にするため、ループ状の腿ベルト２２にバックルを取り付けてそのループを開閉可能にしていると、ループを開いた状態での腿ベルト２２の開放端が上記閉ループ空間に入り込みやすいため、ベルト２１、２２、２３同士の絡まり合いが顕著であった。
【０００５】
そのため、図３のように、肩ベルト２１、腿ベルト２２、尻当てベルト２３によってハーネス２０の背側に形成される上記閉ループ空間を背当て２４で塞いだものが考案されている（特許文献１参照）。
このように背当て２４で閉ループ空間を塞いでいると、ベルト２１、２２、２３が閉ループ空間をくぐることはないため、ベルト２１、２２、２３同士が絡み合うことが防止される。
【特許文献１】特開２００５−２８２号公報
【発明の開示】
【発明が解決しようとする課題】
【０００６】
しかし、特許文献１のような高所作業用ハーネス２０は、背当て２４の分だけ部材が増え、背当て２４をベルト２１、２２、２３に縫い付ける手間もかかるため、その製造コストが高くつく問題があった。
【０００７】
そこで、この発明は、高所作業用ハーネスについて、簡易にして安価にベルトの絡み合いを防止することを課題とする。
【課題を解決するための手段】
【０００８】
上記した課題を解決するため、高所作業時に装着されるハーネスを、作業者の装着状態で腰の左右から背側に延びて交差し両肩に掛けられ胸側の左右でほぼ平行となって腰の左右に還る一対の肩ベルトと、前記肩ベルトに腰の左右で連結され、腰の左右から両太腿に延びて太腿の付け根に沿い腰の左右に還る一対のループ状の腿ベルトと、胸側の左右の肩ベルトを連結する胸ベルトと、各腿ベルト上の２箇所をループ内を横切って連結する連結ベルトと、からなるものとしたのである。
【０００９】
このように尻当てベルトをなくしたため、上記したようなハーネス背側の閉ループ空間がなくなり、特許文献１のように背当てを設けなくとも、ハーネスの背側でベルトが絡み合うことがなくなる。
【００１０】
その一方で、連結ベルトで腿ベルト上の２箇所をループ内を横切って連結しているため、ハーネス装着時の腿ベルトのループ状態は安定している。
そして、このように、背当てなどを要さず構造が簡単であるから、製造コストが低廉である。
【００１１】
さらに腿ベルトにバックルを取り付けるなどして、そのループを開閉可能にするのが好ましい。
このようにすると、作業者がハーネスを装着する際には、まず肩ベルトを両肩に掛け、次いでループを開いた腿ベルトを太腿の付け根に沿わせ、バックルを閉めることで、無理な姿勢をとることなく容易に装着できるようになる。
そして、ループを開いた状態での開放端が絡まり合いやすいところ、尻当てベルトをなくしてハーネス背側の閉ループ空間をなくしたことにより、絡まりあいが抑制される。
【発明の効果】
【００１２】
ハーネスの尻当てベルトをなくしたので、肩ベルト、腿ベルト、尻当てベルトによって囲まれるハーネス背側の閉ループ空間がなくなってベルトの絡みあいが抑制され、また装着感が改善される。
その一方で、腿ベルトのループ端部同士を連結ベルトで連結しているので、装着時の腿ベルトのループ状態は安定している。
【発明を実施するための最良の形態】
【００１３】
図１および図２に示す実施形態の高所作業用ハーネス１０（以下、ハーネス１０と略す。）は、ナイロンその他の合成繊維によって縫製された複数のベルト１１、１２、１３、１４から構成されている。
作業者が装着した状態において、このハーネス１０に命綱を取り付け、作業者が足場を踏み外すなどした場合にも命綱で支持することで墜落を防止するようになっている。
【００１４】
詳しくは、ハーネス１０は、作業者の装着状態で腰の左右から背側に延びて交差し両肩に掛けられ胸側の左右でほぼ平行となって腰の左右に還る一対の肩ベルト１１と、腰の左右から両太腿に延びて太腿の付け根に沿い腰の左右に還る一対のループ状の腿ベルト１２とを有する。
【００１５】
この肩ベルト１１と腿ベルト１２とは、腰の左右で交差しており、この交差した部分で一体的に連結されている。
そして、この腰の左右部分はベルト保持板１２ｃに差し込まれて、交差状態が保持されるようになっている。
また、肩ベルト１１の背側の交差部分も環止め１１ａに差し込まれて、交差状態が保持されるようになっており、この環止め１１ａに取り付けられたＤ環１１ｂに上記した命綱を取り付けるようになっている。
【００１６】
また、これら肩ベルト１１と腿ベルト１２は、長さ調節具１１ｃ、１２ｂに通されて、その長さを作業者の体格等に応じて適宜調節可能となっている。
【００１７】
さらに、腿ベルト１２の太腿の外側に相当する部分には、バックル１２ａが取り付けられて、その係脱によりループを開閉可能となっている。
作業者がハーネス１０を装着する際には、まず肩ベルト１１を両肩に掛け、次いでバックル１２ａを開いて腿ベルト１２を太腿の付け根に沿わせ、その後にバックル１２ａを閉める。
腿ベルト１２にバックル１２ａがない場合は、装着時には腿ベルト１２のループに太腿をくぐらせる必要があるため、これと比較すると装着が非常に容易となっている。
【００１８】
さらに、ハーネス１０は、胸側の左右の肩ベルト１１を連結する胸ベルト１３を有する。
胸ベルト１３も長さ調節具１３ｂに通されることで、その長さを適宜調節可能となっており、また作業者がハーネス１０を装着するのを容易とするために、その中途に差し込みバックル１３ａが取り付けられている。
【００１９】
各腿ベルト１２の太腿外側の差し込みバックル１２ａよりも上側の箇所と、太腿内側のほぼ同じ高さの箇所とは、腿ベルト１２のループを直線状に横切る連結ベルト１４により連結されている。
このように連結ベルト１４で腿ベルト１２上の２点を連結することで、ハーネス１０装着時に腿ベルト１２のループ状態が安定して保持されるようになっている。
なお、この連結ベルト１４はベルト保持板１２ｃの近傍に位置するため、腿ベルト１２に太腿を通した状態で邪魔になることはない。
【００２０】
実施形態のハーネス１０は以上のような構成であり、特許文献１のハーネス２０と異なり腿ベルト１２の下端同士を連結する尻当てベルト２３に相当する部材を設けていない。
そのため、ハーネス１０背側には、肩ベルト１１、腿ベルト１２、尻当てベルトから構成される閉ループ空間が形成されることはない。
したがって、各ベルトがハーネス１０背側のループをくぐって絡み合うことが防止されている。
また、特許文献１のように、背当て２４で閉ループを塞ぐ必要もないため、ハーネス１０の構造が簡単になり、その製造コストも比較的安価に抑えられる。
【００２１】
なお連結ベルト１４の位置や形状は、この実施形態に限定されず、各腿ベルト１２上の２箇所を連結しており、かつ腿ベルト１２に太腿を通した際に邪魔にならない限りにおいて、その位置や形状は任意である。
たとえば、連結ベルト１４は多少弧状になっていてもよい。
【図面の簡単な説明】
【００２２】
【図１】実施形態の高所作業用ハーネスの正面図
【図２】実施形態の高所作業用ハーネスの装着状態を示す、（ａ）は正面図、（ｂ）は背面図、（ｃ）は側面図
【図３】従来の高所作業用ハーネスの装着状態を示す背面図
【符号の説明】
【００２３】
１０  実施形態の高所作業用ハーネス
１１  肩ベルト
１１ａ  環止め
１１ｂ  Ｄ環
１１ｃ  長さ調節具
１２  腿ベルト
１２ａ  バックル
１２ｂ  長さ調節具
１２ｃ  ベルト保持板
１３  胸ベルト
１３ａ  差し込みバックル
１３ｂ  長さ調節具
１４  連結ベルト
２０  従来の高所作業用ハーネス
２１  肩ベルト
２２  腿ベルト
２３  尻当てベルト
２４  背当て
【図１】
2009112368.tif 000003
【図２】
2009112368.tif 000004
【図３】
2009112368.tif 000005